(57)【要約】【課題】携帯電話と連携して受信したメールの送信位置を有効に利用するとともに、走行中でも安全にメール送信を行うことができるナビゲーション装置を提供すること。【解決手段】ＧＰＳ付き携帯電話３０から送信された送信位置データ付きメールを携帯電話８から取り込み、メモリ４に記憶し、地図上に前記メールのアドレスを表示させたり、目的地までの距離が設定値以内になったら自動的にメールを送信させたりすることにより、メール送信位置を明確に把握することができるとともに、自動車などを運転中にメール送信の操作が不要なため、走行中でも安全にメール送信を行うとともに、自車位置を送信相手に伝えることができる。【選択図】　　　図１
2004045117.tif 000002
【特許請求の範囲】
【請求項１】
送信された通信装置の送信位置データが付与されたメールを、前記送信位置データとともに受信する受信手段と、
前記送信位置データと、前記受信したメール内容と、前記メールの送信時刻と、前記メールの送信元メールアドレスと、前記送信位置データの位置を分類する位置分類とを記憶する記憶手段とを備えたことを特徴とするナビゲーション装置。
【請求項２】
地図データが記録された地図データ記録媒体から前記地図データを読み込む地図データ読み込み手段と、
前記地図データ読み込み手段が読み込んだ地図データから、前記メールに付与された送信位置データの前記地図データ上における位置の近辺の目標物の名称を検索する目標物名称検索手段とを備え、
前記記憶手段が、前記目標物名称検索手段に検索された送信位置付近の目標物の名称を、前記メールとともに、記憶することを特徴とする請求項１記載のナビゲーション装置。
【請求項３】
前記メールに付与された送信位置データの送信位置を表示する表示手段を備え、
前記表示手段が、前記記憶手段に記憶された送信位置付近の目標物の名称を表示することを特徴とする請求項２記載のナビゲーション装置。
【請求項４】
前記メールに付与された送信位置データの送信位置を表示する表示手段を備え、
前記表示手段が前記送信位置データの送信位置を表示する毎に、前記目標物名称検索手段が、前記メールに付与された送信位置データの前記地図データ上の位置に近接する目標物の名称を検索し、
前記表示手段が、前記目標物名称検索手段に検索された送信位置付近の目標物の名称を表示することを特徴とする請求項２記載のナビゲーション装置。
【請求項５】
前記受信したメールの送信時刻と、前記記憶手段に記憶された前記受信したメールと同一の送信メールアドレスを有するメールの送信時刻と、を比較する送信時刻比較手段を備え、
前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶することを特徴とする請求項１記載のナビゲーション装置。
【請求項６】
地図データが記録された地図データ記録媒体から前記地図データを読み込む地図データ読み込み手段と、
前記地図データ読み込み手段が読み込んだ地図データから、前記最新送信位置データの前記地図データ上における位置の近辺の目標物の名称を検索する目標物名称検索手段とを備え、
前記記憶手段が、前記目標物名称検索手段に検索された最新送信位置付近の目標物の名称を、前記メールとともに、記憶することを特徴とする請求項５記載のナビゲーション装置。
【請求項７】
前記メールに付与された送信位置データの最新送信位置を表示する表示手段を備え、
前記表示手段が、前記記憶手段に記憶された最新送信位置付近の目標物の名称を表示することを特徴とする請求項６記載のナビゲーション装置。
【請求項８】
前記メールに付与された送信位置データの最新送信位置を表示する表示手段を備え、
前記表示手段が前記送信位置データの最新送信位置を表示する毎に、前記目標物名称検索手段が、前記メールに付与された最新送信位置データの前記地図データ上の位置に近接する目標物の名称を検索し、
前記表示手段が、前記目標物名称検索手段に検索された最新送信位置付近の目標物の名称を表示することを特徴とする請求項６記載のナビゲーション装置。
【請求項９】
地図データが記録された地図データ記録媒体から前記地図データを読み込む地図データ読み込み手段と、
前記地図データ読み込み手段が読み込んだ地図データを表示する表示手段と、
前記地図データ読み込み手段が読み込んだ地図データから、前記メールに付与された送信位置データの前記地図データ上の位置を検索する地図位置検索手段とを備え、
前記表示手段が、前記メールに付与された送信位置データの前記地図データ上の位置に、前記メールのメールアドレスを表示することを特徴とする請求項１記載のナビゲーション装置。
【請求項１０】
前記受信したメールの送信時刻と、前記記憶手段に記憶された前記受信したメールと同一の送信メールアドレスを有するメールの送信時刻と、を比較する送信時刻比較手段を備え、
前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶し、
前記表示手段が、前記最新のメールに付与された最新送信位置データの前記地図データ上の位置に、前記最新メールのメールアドレスとともに、最新であることを示す文字を表示することを特徴とする請求項９記載のナビゲーション装置。
【請求項１１】
ユーザの操作を入力する操作手段と、
前記操作手段により前記表示手段に表示されたメールアドレスが選択されたとき、前記メールアドレス宛の返信メール作成状態とし、前記返信メールを作成させる返信メール作成手段と、
前記返信メール作成手段で作成された前記返信メールを、前記通信装置に送信する送信手段とを備えたことを特徴とする請求項９記載のナビゲーション装置。
【請求項１２】
前記返信メール作成手段が、前記返信メール作成状態として、前記記憶手段に記憶された前記メールアドレスを有するメールの編集状態とし、前記返信メールを作成させることを特徴とする請求項１１記載のナビゲーション装置。
【請求項１３】
前記受信したメールの送信時刻と、前記記憶手段に記憶された前記受信したメールと同一の送信メールアドレスを有するメールの送信時刻と、を比較する送信時刻比較手段を備え、
前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶し、
前記表示手段が、前記最新のメールに付与された最新送信位置データの前記地図データ上の位置に、前記最新メールのメールアドレスとともに、最新であることを示す文字を表示することを特徴とする請求項１１記載のナビゲーション装置。
【請求項１４】
前記返信メール作成手段が、前記返信メール作成状態として、前記記憶手段に記憶された前記メールアドレスを有する最新メールの編集状態とし、前記返信メールを作成させることを特徴とする請求項１３記載のナビゲーション装置。
【請求項１５】
ユーザの操作を入力する操作手段と、
前記操作手段により前記表示手段に表示されたメールアドレスの位置を選択することにより、前記メールの送信位置を目的地として設定する目的地設定手段とを備え、
前記記憶手段が、前記目的地設定手段に設定された目的地を記憶することを特徴とする請求項９記載のナビゲーション装置。
【請求項１６】
前記受信したメールの送信時刻と、前記記憶手段に記憶された前記受信したメールと同一の送信メールアドレスを有するメールの送信時刻と、を比較する送信時刻比較手段を備え、
前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶し、
前記表示手段が、前記最新のメールに付与された最新送信位置データの前記地図データ上の位置に、前記最新メールのメールアドレスとともに、最新であることを示す文字を表示し、
前記目的地設定手段が、前記操作手段により前記表示手段に表示されたメールアドレスの位置を選択することにより、前記メールの最新送信位置を目的地として設定することを特徴とする請求項１５記載のナビゲーション装置。
【請求項１７】
目的地と、前記目的地までの残距離と、メールを送信するための送信メールアドレスとを入力させる入力手段と、
前記目的地、前記残距離、前記送信メールアドレスおよび定型の文字とを記憶する記憶手段と、
自己の位置を検出する位置検出手段と、
前記目的地と、前記自己位置とにより、目的地までの実際の残距離を算出する実残距離算出手段と、
前記残距離と、前記実残距離とを比較する距離比較手段と、
前記距離比較手段により、前記実残距離が前記残距離より近いとき、前記定型文字を内容としたメールを前記メールアドレス宛に送信する送信手段とを備えたことを特徴とするナビゲーション装置。
【請求項１８】
地図データが記録された地図データ記録媒体から前記地図データを読み込む地図データ読み込み手段と、
前記地図データ読み込み手段が読み込んだ地図データから、前記最新送信位置データの前記地図データ上における位置の近辺の目標物の名称を検索する目標物名称検索手段とを備え、
前記記憶手段が、前記目標物名称検索手段に検索された最新送信位置付近の目標物の名称を、前記メールとともに、記憶することを特徴とする請求項１７記載のナビゲーション装置。
【請求項１９】
前記実残距離算出手段が算出した目的地までの実際の残距離を文字データに変換する文字変換手段と、
前記文字変換手段に変換された残距離情報を前記送信メールの内容に追加するメール内容追加手段とを備えたことを特徴とする請求項１７記載のナビゲーション装置。
【請求項２０】
送信された通信装置の送信位置データが付与されたメールを前記送信位置データとともに受信する受信手段と、
前記受信手段が受信したメールを表示する表示手段と、
ユーザの操作を入力する操作手段と、
前記操作手段で前記表示手段に表示されたメールが選択されたとき、この選択されたメールのメールアドレスを前記送信メールのメールアドレスとして設定するメールアドレス設定手段とを備え、
前記記憶手段が、前記送信位置データと、前記受信したメールに含まれるメール内容と、送信時刻と、前記メールの送信元メールアドレスと、前記送信位置データの位置を分類する位置分類とを記憶し、
前記送信手段が、前記メールアドレス設定手段に設定されたメールアドレスに前記メールを送信することを特徴とする請求項１７記載のナビゲーション装置。
【請求項２１】
前記受信したメールの送信時刻と、前記記憶手段に記憶された前記受信メールと同一の送信メールアドレスを有するメールの送信時刻と、を比較する送信時刻比較手段を備え、
前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶し、
前記表示手段が、前記最新送信位置とともに、最新であることを示す文字を表示することを特徴とする請求項２０記載のナビゲーション装置。
【請求項２２】
送信された通信装置の送信位置データが付与されたメールを前記送信位置データとともに受信する受信手段を備え、
前記記憶手段が、前記受信したメールのメールアドレスが記憶済の送信メールアドレスである場合にのみ、前記送信位置データと、前記受信したメールに含まれるメール内容と、送信時刻と、前記メールの送信元メールアドレスと、前記送信位置データの位置を分類する位置分類とを記憶することを特徴とする請求項１７記載のナビゲーション装置。
【請求項２３】
暗証番号を入力する暗証番号入力手段と、
前記暗証番号を前記記憶手段に登録させる暗証番号登録手段と、
前記記憶手段に登録された暗証番号と、操作時に入力された暗証番号とを比較し、一致したときのみ、前記操作にしたがった制御処理を行う操作制御手段とを備えたことを特徴とする請求項１から請求項２２のいずれか１項に記載のナビゲーション装置。
【発明の詳細な説明】
【０００１】
【発明の属する技術分野】
本発明は、携帯電話から送信位置データ付の受信メールを取り出し、目的地設定を行ったり、行き先までの残距離が一定範囲内になったら自動的に入力されたメールアドレスにメールを送信したりすることができるナビゲーション装置に関する。
【０００２】
【従来の技術】
従来、携帯電話から情報を受信して利用するナビゲーション装置として、例えば、特開２００１−１５９５２７号公報に記載されたものがある。このものは、図８に示すように、ＰＨＳ電話機、デジタル携帯電話機等の携帯型電話機７０と接続可能で、双方向に位置や文字、音声、画像、動画などの情報のやりとりが可能な通信対応ナビゲーション装置５０であって、携帯型電話機７０を接続した場合には、通信メニューと通信メニューで選択された項目に対するサブウインドウとを自動的に画面表示させる中央演算装置５２を有する構成を備えている。これにより、通信メニューの選択を簡単な操作で行うようにしたものである。このように、ナビゲーション装置と携帯電話とを連携させた新たな装置の開発が行われている。
【０００３】
【発明が解決しようとする課題】
しかしながら、このような従来の携帯電話と連携したナビゲーション装置では、一人で高速道路を運転しているような場合など、運転中に携帯電話を操作することは危険であるため、操作することができない。
【０００４】
また、携帯電話との連携により、メールの送受信が考えられるが、メールを送信したときの位置データを知ることはできないため、メールと送信位置を対応付けることはできない。また、目的地の付近にきたときに、メールを送信することができないという問題があった。
【０００５】
本発明はこのような問題を解決するためになされたもので、地図上にメールアドレスを表示させて、送信位置の確認を容易にさせたり、そのメールアドレスを選択することにより、メール内容の確認やメール送信と目的地設定の操作性を向上させたり、目的地近辺に来たときに、メール送信を自動で行うことができるナビゲーション装置を提供するものである。
【０００６】
【課題を解決するための手段】
本発明のナビゲーション装置は、送信された通信装置の送信位置データが付与されたメールを、前記送信位置データとともに受信する受信手段と、前記送信位置データと、前記受信したメール内容と、前記メールの送信時刻と、前記メールの送信元メールアドレスと、前記送信位置データの位置を分類する位置分類とを記憶する記憶手段とを備えたことを特徴とした構成を有している。
【０００７】
この構成により、ナビゲーション装置に、メールが送信された送信位置データとともに、受信したメールの内容、メールの送信時刻、メールの送信元メールアドレス、メールの送信位置データの位置を分類する位置分類などが記憶されるので、メール送信位置とナビゲーション機能との連携を容易に行うことができ、ナビゲーション装置の操作性および連携機能を向上させることができることとなる。
【０００８】
また、本発明のナビゲーション装置は、地図データが記録された地図データ記録媒体から前記地図データを読み込む地図データ読み込み手段と、前記地図データ読み込み手段が読み込んだ地図データから、前記メールに付与された送信位置データの前記地図データ上における位置の近辺の目標物の名称を検索する目標物名称検索手段とを備え、前記記憶手段が、前記目標物名称検索手段に検索された送信位置付近の目標物の名称を、前記メールとともに、記憶することを特徴とした構成を有している。
【０００９】
この構成により、メールが送信された場所がどこであるかが地図上の目標物の名称で記憶されるので、人が送信場所を検索したときに、どこの場所であるかを確認することが容易にできることとなる。
【００１０】
また、本発明のナビゲーション装置は、前記メールに付与された送信位置データの送信位置を表示する表示手段を備え、前記表示手段が、前記記憶手段に記憶された送信位置付近の目標物の名称を表示することを特徴とした構成を有している。
【００１１】
この構成により、メール送信位置付近の目標物の名称が表示されるので、メールがどこから送信されてきたのか確認することができるとともに、緯度経度のような単なる数字ではないので、送信位置の確認を容易に行うことができることとなる。
【００１２】
また、本発明のナビゲーション装置は、前記メールに付与された送信位置データの送信位置を表示する表示手段を備え、前記表示手段が前記送信位置データの送信位置を表示する毎に、前記目標物名称検索手段が、前記メールに付与された送信位置データの前記地図データ上の位置に近接する目標物の名称を検索し、前記表示手段が、前記目標物名称検索手段に検索された送信位置付近の目標物の名称を表示することを特徴とした構成を有している。
【００１３】
この構成により、表示のたびに地図データを検索して、メール送信位置付近の目標物の名称が表示されるので、メールがどこから送信されてきたのかを最新の地図データから呼び出して確認することができることとなる。
【００１４】
さらに、本発明のナビゲーション装置は、前記受信したメールの送信時刻と、前記記憶手段に記憶された前記受信したメールと同一の送信メールアドレスを有するメールの送信時刻と、を比較する送信時刻比較手段を備え、前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶することを特徴とした構成を有している。
【００１５】
この構成により、同一の送信メールアドレスを有するメールの送信位置データに対して、最新の送信位置が記憶されるので、移動しながらメールを送信してきている相手に対して、現在の位置または知りうる最新の位置を把握することができることとなる。
【００１６】
また、本発明のナビゲーション装置は、地図データが記録された地図データ記録媒体から前記地図データを読み込む地図データ読み込み手段と、前記地図データ読み込み手段が読み込んだ地図データから、前記最新送信位置データの前記地図データ上における位置の近辺の目標物の名称を検索する目標物名称検索手段とを備え、前記記憶手段が、前記目標物名称検索手段に検索された最新送信位置付近の目標物の名称を、前記メールとともに、記憶することを特徴とした構成を有している。
【００１７】
この構成により、メールが送信された最新の場所がどこであるかが地図上の目標物の名称で記憶されるので、人が送信場所を検索したときに、どこの場所であるかを確認することが容易にできることとなる。
【００１８】
また、本発明のナビゲーション装置は、前記メールに付与された送信位置データの最新送信位置を表示する表示手段を備え、前記表示手段が、前記記憶手段に記憶された最新送信位置付近の目標物の名称を表示することを特徴とした構成を有している。
【００１９】
この構成により、メール送信最新位置付近の目標物の名称が表示されるので、メールがどこから送信されてきたのか確認することができるとともに、緯度経度のような単なる数字ではないので、最新送信位置の確認を容易に行うことができることとなる。
【００２０】
また、本発明のナビゲーション装置は、前記メールに付与された送信位置データの最新送信位置を表示する表示手段を備え、前記表示手段が前記送信位置データの最新送信位置を表示する毎に、前記目標物名称検索手段が、前記メールに付与された最新送信位置データの前記地図データ上の位置に近接する目標物の名称を検索し、前記表示手段が、前記目標物名称検索手段に検索された最新送信位置付近の目標物の名称を表示することを特徴とした構成を有している。
【００２１】
この構成により、表示のたびに地図データを検索して、メール送信最新位置付近の目標物の名称が表示されるので、メールがどこから送信されてきたのかを最新の地図データから呼び出して確認することができることとなる。
【００２２】
さらに、本発明のナビゲーション装置は、地図データが記録された地図データ記録媒体から前記地図データを読み込む地図データ読み込み手段と、前記地図データ読み込み手段が読み込んだ地図データを表示する表示手段と、前記地図データ読み込み手段が読み込んだ地図データから、前記メールに付与された送信位置データの前記地図データ上の位置を検索する地図位置検索手段とを備え、前記表示手段が、前記メールに付与された送信位置データの前記地図データ上の位置に、前記メールのメールアドレスを表示することを特徴とした構成を有している。
【００２３】
この構成により、受信したメールのメールアドレスが地図上の送信された位置に表示されるので、送信されたメールの送信位置を容易に把握することができることとなる。
【００２４】
また、本発明のナビゲーション装置は、前記受信したメールの送信時刻と、前記記憶手段に記憶された前記受信したメールと同一の送信メールアドレスを有するメールの送信時刻と、を比較する送信時刻比較手段を備え、前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶し、前記表示手段が、前記最新のメールに付与された最新送信位置データの前記地図データ上の位置に、前記最新メールのメールアドレスとともに、最新であることを示す文字を表示することを特徴とした構成を有している。
【００２５】
この構成により、同一の送信メールアドレスを有するメールの送信位置データに対して、最新の送信位置が地図上の送信された位置に表示されるので、移動しながらメールを送信してきている相手に対して、現在の位置または知りうる最新の位置を容易に把握することができることとなる。
【００２６】
さらに、本発明のナビゲーション装置は、ユーザの操作を入力する操作手段と、前記操作手段により前記表示手段に表示されたメールアドレスが選択されたとき、前記メールアドレス宛の返信メール作成状態とし、前記返信メールを作成させる返信メール作成手段と、前記返信メール作成手段で作成された前記返信メールを、前記通信装置に送信する送信手段とを備えたことを特徴とした構成を有している。
【００２７】
この構成により、表示手段に表示された地図上のメールアドレスを選択して、返信メールを作成、送信することができるので、返信するメールを容易に選択することができるとともに、メールの返信操作を容易に行うことができることとなる。
【００２８】
また、本発明のナビゲーション装置は、前記返信メール作成手段が、前記返信メール作成状態として、前記記憶手段に記憶された前記メールアドレスを有するメールの編集状態とし、前記返信メールを作成させることを特徴とした構成を有している。
【００２９】
この構成により、返信メール作成作業において、過去に受信したメールの内容を用いて返信メールを作成することができるので、返信メール作成を効率的に作成することができることとなる。
【００３０】
また、本発明のナビゲーション装置は、前記受信したメールの送信時刻と、前記記憶手段に記憶された前記受信したメールと同一の送信メールアドレスを有するメールの送信時刻と、を比較する送信時刻比較手段を備え、前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶し、前記表示手段が、前記最新のメールに付与された最新送信位置データの前記地図データ上の位置に、前記最新メールのメールアドレスとともに、最新であることを示す文字を表示することを特徴とした構成を有している。
【００３１】
この構成により、最新のメールが表示手段に表示される場合、地図上のメールアドレスに最新であることが明確に記されるので、最新の位置を把握して、返信するメールを選択することができることとなる。
【００３２】
また、本発明のナビゲーション装置は、前記返信メール作成手段が、前記返信メール作成状態として、前記記憶手段に記憶された前記メールアドレスを有する最新メールの編集状態とし、前記返信メールを作成させることを特徴とした構成を有している。
【００３３】
この構成により、返信メール作成作業において、過去に受信したメールのうちの最新のメール内容を用いて返信メールを作成することができるので、返信メール作成を効率的に作成することができることとなる。
【００３４】
さらに、本発明のナビゲーション装置は、ユーザの操作を入力する操作手段と、前記操作手段により前記表示手段に表示されたメールアドレスの位置を選択することにより、前記メールの送信位置を目的地として設定する目的地設定手段とを備え、前記記憶手段が、前記目的地設定手段に設定された目的地を記憶することを特徴とした構成を有している。
【００３５】
この構成により、受信したメールの表示位置を選択するだけで目的地を設定することができ、目的地を設定する操作が容易になり、安全なナビゲーション装置を提供することができることとなる。
【００３６】
また、本発明のナビゲーション装置は、前記受信したメールの送信時刻と、前記記憶手段に記憶された前記受信したメールと同一の送信メールアドレスを有するメールの送信時刻と、を比較する送信時刻比較手段を備え、前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶し、前記表示手段が、前記最新のメールに付与された最新送信位置データの前記地図データ上の位置に、前記最新メールのメールアドレスとともに、最新であることを示す文字を表示し、前記目的地設定手段が、前記操作手段により前記表示手段に表示されたメールアドレスの位置を選択することにより、前記メールの最新送信位置を目的地として設定することを特徴とした構成を有している。
【００３７】
この構成により、受信したメールの表示位置を選択するだけで最新のメール送信位置を目的地に設定することができ、最新の目的地を設定する操作が容易になり、安全なナビゲーション装置を提供することができることとなる。
【００３８】
さらに、本発明のナビゲーション装置は、目的地と、前記目的地までの残距離と、メールを送信するための送信メールアドレスとを入力させる入力手段と、前記目的地、前記残距離、前記送信メールアドレスおよび定型の文字とを記憶する記憶手段と、自己の位置を検出する位置検出手段と、前記目的地と、前記自己位置とにより、目的地までの実際の残距離を算出する実残距離算出手段と、前記残距離と、前記実残距離とを比較する距離比較手段と、前記距離比較手段により、前記実残距離が前記残距離より近いとき、前記定型文字を内容としたメールを前記メールアドレス宛に送信する送信手段とを備えたことを特徴とした構成を有している。
【００３９】
この構成により、目的地までの距離が一定距離以内になったら、自動的にメールを送信することができるので、自動車などを運転中に目的地近辺にきたときに、ナビゲーション装置を操作することなくメールを送信することができ、安全な走行を確保できるとともに、自車位置を送信相手に伝えることができることとなる。
【００４０】
また、本発明のナビゲーション装置は、地図データが記録された地図データ記録媒体から前記地図データを読み込む地図データ読み込み手段と、前記地図データ読み込み手段が読み込んだ地図データから、前記最新送信位置データの前記地図データ上における位置の近辺の目標物の名称を検索する目標物名称検索手段とを備え、前記記憶手段が、前記目標物名称検索手段に検索された最新送信位置付近の目標物の名称を、前記メールとともに、記憶することを特徴とした構成を有している。
【００４１】
この構成により、メールが送信された場所がどこであるかが地図上の目標物の名称で記憶されるので、人が送信場所を検索したときに、どこの場所であるかを確認することが容易にできることとなる。
【００４２】
また、本発明のナビゲーション装置は、前記実残距離算出手段が算出した目的地までの実際の残距離を文字データに変換する文字変換手段と、前記文字変換手段に変換された残距離情報を前記送信メールの内容に追加するメール内容追加手段とを備えたことを特徴とした構成を有している。
【００４３】
この構成により、目的地までの距離がメールの内容として送信されるので、メールの受信者が送信してきた相手がどの程度の距離まで来ているのかを把握でき、到着時間を予想することができることとなる。
【００４４】
また、本発明のナビゲーション装置は、送信された通信装置の送信位置データが付与されたメールを前記送信位置データとともに受信する受信手段と、前記受信手段が受信したメールを表示する表示手段と、ユーザの操作を入力する操作手段と、前記操作手段で前記表示手段に表示されたメールが選択されたとき、この選択されたメールのメールアドレスを前記送信メールのメールアドレスとして設定するメールアドレス設定手段とを備え、前記記憶手段が、前記送信位置データと、前記受信したメールに含まれるメール内容と、送信時刻と、前記メールの送信元メールアドレスと、前記送信位置データの位置を分類する位置分類とを記憶し、前記送信手段が、前記メールアドレス設定手段に設定されたメールアドレスに前記メールを送信することを特徴とした構成を有している。
【００４５】
この構成により、受信したメールのアドレスを用いて送信メールアドレスとして送信することができるので、メールアドレスを入力せずに送信メールを作成することができ、メールアドレスの入力操作が容易になるとともに、メールアドレスの入力操作ミスを防止することができることとなる。
【００４６】
また、本発明のナビゲーション装置は、前記受信したメールの送信時刻と、前記記憶手段に記憶された前記受信メールと同一の送信メールアドレスを有するメールの送信時刻と、を比較する送信時刻比較手段を備え、前記記憶手段は、前記送信時刻比較手段に前記受信したメールの送信時刻が前記記憶されたメールの送信時刻より新しい送信時刻と判断された場合に、前記受信したメールに付与された送信位置データを、前記メールアドレスの最新送信位置データとして記憶し、前記表示手段が、前記最新送信位置とともに、最新であることを示す文字を表示することを特徴とした構成を有している。
【００４７】
この構成により、同一の送信メールアドレスを有するメールに対して、最新の送信位置が表示されるので、移動しながらメールを送信してきている相手に対して、現在の位置または知りうる最新の位置を容易に把握することができることとなる。
【００４８】
さらに、本発明のナビゲーション装置は、送信された通信装置の送信位置データが付与されたメールを前記送信位置データとともに受信する受信手段を備え、前記記憶手段が、前記受信したメールのメールアドレスが記憶済の送信メールアドレスである場合にのみ、前記送信位置データと、前記受信したメールに含まれるメール内容と、送信時刻と、前記メールの送信元メールアドレスと、前記送信位置データの位置を分類する位置分類とを記憶することを特徴とした構成を有している。
【００４９】
この構成により、あらかじめ記憶したメールアドレスのメールのみを記憶することができるので、不必要なメールを記憶することなく、必要なメールで適切な処理を行うことができることとなる。
【００５０】
さらに、本発明のナビゲーション装置は、暗証番号を入力する暗証番号入力手段と、前記暗証番号を前記記憶手段に登録させる暗証番号登録手段と、前記記憶手段に登録された暗証番号と、操作時に入力された暗証番号とを比較し、一致したときのみ、前記操作にしたがった制御処理を行う操作制御手段とを備えたことを特徴とした構成を有している。
【００５１】
この構成により、本発明のナビゲーション装置に何らかの操作を行う場合、暗証番号を入力して、その暗証番号と登録した暗証番号とが一致しなければ操作を行うことができないので、重要なデータを隠蔽することができ、第三者からの不正操作を防止することができることとなる。
【００５２】
【発明の実施の形態】
以下、本発明の実施の形態について、図面を用いて説明する。
【００５３】
図１は、本発明の一実施の形態におけるナビゲーション装置の概略ブロック図、図２から図６は、本発明の一実施の形態におけるナビゲーション装置の動作を説明するための図、図７は、同じく本発明の一実施の形態におけるナビゲーション装置の動作を説明する流れ図である。
【００５４】
図１に示すように、ナビゲーション装置２０は、メールを受信したり、メールを送信するための着脱可能なメール送受信装置である携帯電話８と、現在地や目的地を表示するための表示手段である表示装置１と、メールアドレスや目的地までの残距離を入力するための操作手段である操作部２と、地図データが記録されている地図記録媒体３と、携帯電話８から受信したメール等を記憶するための記憶手段であるメモリ４と、現在地を検出するための現在位置検出手段であるＧＰＳ６、ＧＰＳアンテナ７と、地図記録媒体３から地図データを読み込んで、現在地とともに、この読み込んだ地図データを表示装置１に表示したり、携帯電話８から受信したメールを表示装置１に表示したり、携帯電話８を用いてメールを送信したりする制御部５を備えている。なお、携帯電話８と制御部５の間は、着脱可能な有線接続だけでなく、ブルートゥース（省電力電波通信）やＩｒＤａ（赤外線通信）のような無線接続であっても構わない。
【００５５】
次に、本発明の一実施の形態におけるナビゲーション装置の動作を、図２から図７を用いて詳細に説明する。
【００５６】
なお、暗証番号は、あらかじめ操作部２から入力されて制御部５がメモリ４に記憶してあり、この記憶された状態で今回ユーザが操作部２から暗証番号を入力し、制御部５がメモリ４に記憶してある暗証番号と一致しているかを判断して、暗証番号が一致し、メール記憶及び表示が可能な状態となっている。また、本ナビゲーション装置２０に登録可能なメールのメールアドレスは、操作部２からユーザによって入力され、それを制御部５がメモリ４に記憶していることを前提とする。
【００５７】
まず、ナビゲーション装置２０は、制御部５により、携帯電話８から受信しているメールを、全て取り出す（ステップＳ７０１）。図２に、取り出したメールのデータ形式を示す。
【００５８】
次に、制御部５は、取り出したメールが、登録可能メールアドレスとして記憶されているメールアドレスのメールであるか否かを判断し（ステップＳ７０２）、登録済であると判断したなら、ステップＳ７０３に進み、登録されていなければ、ステップＳ７１０に進む。登録可能メールアドレスの記憶状態例を、図４に示す。
【００５９】
登録済のメールアドレスであった場合には、制御部５は、送信者のメールアドレス毎に、送信時刻データ、位置分類データ、位置データ、メール内容をメモリ４に記憶し、表示装置１に表示する（ステップＳ７０３）。表示装置１への表示例を、図３に示す。
【００６０】
このとき、位置データの緯度経度をそのまま表示しても、ユーザは理解しにくいので、制御部５は、位置データに近接する交差点または建物や施設の名称を地図記録媒体３から検索して、メモリ４に記憶し、その名称を表示装置１に表示する。さらに、一度検索した名称がメモリ４に記憶されているなら記憶された名称を表示しても良いし、再度、地図記録媒体３を検索して、最新の名称を表示しても良い。
【００６１】
次に、制御部５は、上記携帯電話８から取り出したメールの送信者のメールアドレスとそのメールアドレスから受信したメールの送信時刻が最新であるメール送信位置データをメモリ４に記憶し、表示する（ステップＳ７０４）。最新位置表示例を、図４に示す。このときも制御部５は、位置データに近接した交差点または建物や施設の名称を地図記録媒体３から検索して、メモリ４に記憶し、その名称を表示装置１に表示する。また、一度検索した名称がメモリ４に記憶されているなら記憶された名称を表示しても良いし、再度、地図記録媒体３を検索して、最新の名称を表示しても良い。
【００６２】
次に、受信メールとしてメールアドレスと位置分類毎に表示されている受信メールの「位置」を操作部２から選択すると、操作部２からその情報を受け取った制御部５は、メールの位置データ付近の地図データを地図記録媒体３から取得して、地図上にそのメールアドレスと位置分類を表示装置１に表示する（ステップＳ７０５）。地図上へのメールアドレス表示例を、図５に示す。
【００６３】
次に、登録可能メールアドレスとしてメモリ４に記憶されていて、表示装置１に表示されている登録可能メールアドレスの「最新位置」を操作部２から選択すると、操作部２からその情報を受け取った制御部５は、メールの最新位置データ付近の地図データを地図記録媒体３から取得して、地図上にそのメールアドレスと最新を意味する文字を表示装置１に表示する（ステップＳ７０６）。地図上へのメールアドレス表示例を、図６に示す。
【００６４】
次に、上記ステップＳ７０５とステップＳ７０６のように、表示装置１で地図上に表示されたメールアドレスを操作部２から選択し、その選択を検出した制御部５は、そのメールアドレスを送信先のメールアドレスとしてメモリ４に記憶し、そのメールの内容を入力できる画面を表示装置１に表示し、操作部２からメールを入力できるようにする（ステップＳ７０７）。
【００６５】
このとき、ステップＳ７０５で表示されたメールアドレスであれば、メモリ４に記憶されたそのメール内容を表示装置１に表示して、操作部２からそのメール内容に追加ができる返信メール作成状態、修正ができるメール編集状態にすることもできる。また、同様に、ステップＳ７０６で表示されたメールアドレスであれば、メモリ４に記憶されたそのメールアドレスの最新時刻のメール内容を表示装置１に表示して、操作部２からそのメール内容に追加、修正が行えるようにもできる。
【００６６】
そして、操作部２を介した入力により、メールの作成を終了して、操作部２からメールの送信操作を行うと、制御部５は、送信操作を検出して、携帯電話８を用いて、そのメールを送信する。
【００６７】
次に、図５や図６に示した表示装置１に表示された「目的地を設定する」を操作部２により選択すると、操作部２からその入力を制御部５が受け取り、表示装置１で、地図上に表示されたメールアドレスのメール送信位置データまたはメールアドレスのメール送信時刻が最新のメール送信位置データをメモリ４から取り出し、目的地としてメモリ４に記憶し、そのメールアドレスをメモリ４から取り出し、目的地から以下のステップＳ７０９で入力する残距離以内の位置に到達したときに送信するメールアドレスとしてメモリ４に記憶する（ステップＳ７０８）。
【００６８】
次に、ユーザは操作部２からメール送信のトリガとなる目的地までの残距離を入力して、それを受け取った制御部５は、残距離をメモリ４に記憶する。また、目的地設定のために使用したメールアドレスが送信先のメールアドレスとなっていて、変更する必要があれば、ユーザは操作部２からそのメールアドレスを変更し、変更情報を受け取った制御部５がメモリ４に記憶されている送信先のメールアドレスを変更する（ステップＳ７０９）。
【００６９】
次に、制御部５は、ＧＰＳ６から位置データを取得して、メモリ４に現在地として記憶する（ステップＳ７１０）。
【００７０】
次に、制御部５は、現在地を中心とした地図データを地図記録媒体３から取得して、現在地とともに、表示装置１に表示する（ステップＳ７１１）。また、このとき表示装置１に表示された地図データの範囲に、メモリ４に記憶してある受信メールの位置データがある場合、図５や図６に示したようにメールアドレスと位置分類を表示する。
【００７１】
次に、制御部５は、メール送信先のメールアドレスがメモリ４に記憶されていて、かつ、メモリ４に記憶されている現在地の位置データが、目的地から、メモリ４に記憶した残距離以内の範囲であるか否かを判断し（ステップＳ７１２）、残距離以内の範囲であると判断したなら、ステップＳ７１３に進み、残距離以内でないならステップＳ７０１に戻る。
【００７２】
現在地の位置データが目的地からメモリ４に記憶した残距離以内の範囲であるとき、制御部５は、メモリ４に記憶されている送信先のメールアドレスへ、メモリ４に記憶されている定型の文字をメール内容に設定して、そのメールを携帯電話８を使用して送信し（ステップＳ７１３）、ステップＳ７０１に進む。また、メモリ４に記憶してある目的地データと現在地データにより、地図記録媒体３を検索し、近接する交差点または建物や施設の名称を各々について検索し、その名称をメール内容に追加しても良い。さらに、目的地データと現在地データから目的地までの距離を計算し、それを文字にしてメール内容に追加しても良い。
【００７３】
【発明の効果】
以上説明したように、本発明のナビゲーション装置は、送信位置データが付与されたメールを、前記送信位置データとともに受信し、前記送信位置データと、前記受信したメール内容と、前記メールの送信時刻と、前記メールの送信元メールアドレスと、前記送信位置データの位置を分類する位置分類とを記憶することにより、ナビゲーション装置に、メールが送信された送信位置データとともに、受信したメールの内容、メールの送信時刻、メールの送信元メールアドレス、メールの送信位置データの位置を分類する位置分類などが記憶されるので、メール送信位置とナビゲーション機能との連携を容易に行うことができ、ナビゲーション装置の操作性および連携機能を向上させるというすぐれた効果を有するナビゲーション装置を提供することができるものである。
【図面の簡単な説明】
【図１】本発明の一実施の形態におけるナビゲーション装置を示す概略ブロック図
【図２】本発明の一実施の形態におけるナビゲーション装置の動作を説明するための図
【図３】本発明の一実施の形態におけるナビゲーション装置の動作を説明するための図
【図４】本発明の一実施の形態におけるナビゲーション装置の動作を説明するための図
【図５】本発明の一実施の形態におけるナビゲーション装置の動作を説明するための図
【図６】本発明の一実施の形態におけるナビゲーション装置の動作を説明するための図
【図７】本発明の一実施の形態におけるナビゲーション装置の動作を説明するための流れ図
【図８】従来のナビゲーション装置の一例を示す概略ブロック図
【符号の説明】
１　表示装置
２　操作部
３　地図記録媒体
４　メモリ
５　制御部
６　ＧＰＳ
７　ＧＰＳアンテナ
８　携帯電話
２０　ナビゲーション装置
３０　ＧＰＳ付携帯電話
５０　ナビゲーション装置
５１　操作入力部
５２　中央演算装置
５３　地図記録媒体
５４　ＧＰＳ部
５５　アンテナ
５６　ＲＯＭ部
５７　ＲＡＭ部
５８　表示装置
５９　通信インタフェース部（通信Ｉ／Ｆ部）
７０　携帯型電話機
【図１】
2004045117.tif 000003
【図２】
2004045117.tif 000004
【図３】
2004045117.tif 000005
【図４】
2004045117.tif 000006
【図５】
2004045117.tif 000007
【図６】
2004045117.tif 000008
【図７】
2004045117.tif 000009
【図８】
2004045117.tif 000010